(57)【要約】【課題】  タトー調の絵柄が部分的なものに限らず、且つ体のラインに沿った立体的なタトー調の絵柄を皮膚に一体化させた装飾性を創出することができるとともに、皮膚の老化によるタルミ等を補正する製品機能としての補正性を持ち、しかも女性のバスト等の凹凸を有する部分をサポートしつつタトー調の絵柄を表示することが可能なタトー調の衣料を提供することを課題とする。【解決手段】  着用者の肌にタトー調の視覚的効果を与えるタトー調衣料において、着用者のバスト等の立体的な凹凸を有する部分に着用する下着の少なくとも一部に、着用者の肌が透けて見えるか又はスキンカラーに着色された肌状部分を設け、当該肌状部分にタトー調の絵柄を形成するように構成して課題を解決する。【選択図】  図１
2005089904.tif 000002
【特許請求の範囲】
【請求項１】
着用者の肌にタトー調の視覚的効果を与えるタトー調衣料において、着用者のバスト等の立体的な凹凸を有する部分に着用する下着の少なくとも一部に、着用者の肌が透けて見えるか又はスキンカラーに着色された肌状部分を設け、当該肌状部分にタトー調の絵柄を形成したことを特徴とするタトー調衣料。
【請求項２】
前記タトー調の絵柄が、所望の色に染められた編み糸によって編成されて形成されていることを特徴とする請求項１に記載のタトー調衣料。
【請求項３】
前記タトー調の絵柄が、溶解性の基布に、非溶解性の糸によってタトー調の絵柄を刺繍した後、溶解性の基布を溶解除去することを特徴とする請求項２に記載のタトー調衣料。
【請求項４】
前記タトー調の絵柄が、水溶性繊維に非水溶性の樹脂によってタトー調の絵柄を形成し、当該非水溶性の樹脂を所望の色に捺染した後、水溶性繊維を溶解除去することによって形成されていることを特徴とする請求項１に記載のタトー調衣料。
【請求項５】
前記非水溶性の樹脂が、シリコン樹脂からなることを特徴とする請求項４に記載のタトー調衣料。
【請求項６】
前記タトー調の絵柄が、透明性の基布又はスキンカラーの基布を、所望の色及び柄に染色することによって形成されていることを特徴とする請求項１に記載のタトー調衣料。
【請求項７】
前記タトー調の絵柄が、水溶性基布に透明性の素材又はスキンカラーの素材によってプリントを施し、所望の色及び柄に染色した後、水溶性基布を除去すことによって形成されていることを特徴とする請求項１に記載のタトー調衣料。
【発明の詳細な説明】
【技術分野】
【０００１】
この発明は、ブラジャー、ウエストニッパー、ガードル（特にハイウエストタイプ）、スリーインワン、オールインワン、その他のファンデーションガーメント全般を含み、更にボディフィットのランジェリーやアウター・水着等を含む衣料に関し、特に着用者の肌にタトー調の視覚的効果を与えるタトー調衣料に関するものである。
【背景技術】
【０００２】
【特許文献１】実開平７−３１８０８号公報
【特許文献２】実開平６−７８９６８号公報
【０００３】
近年、上記ブラジャーやガードル等のファンデーションガーメント全般を含む下着においては、単なる下着としての機能以外に、所謂見せる下着としての機能が求められてきている。これらの下着では、例えば、ブラージャーのストラップをアウターから露出するように着用したり、スリップ等のレース素材をアウターから見えるように着用したり、あるいはアウターの生地として透けて見える素材を使用したすることによって、女性らしさを演出する多種多様な試みがなされており、新規なあるいは斬新なファッションが流行してきている。
【発明の開示】
【発明が解決しようとする課題】
【０００４】
しかしながら、上記従来技術の場合には、次のような問題点を有している。すなわち、上記従来の下着においては、ブラージャーのストラップをアウターから露出するように着用したり、スリップ等のレース素材をアウターから見えるように着用したりすることによって、女性らしさを演出する多種多様な試みがなされているが、タトー調の絵柄をデザインしたような斬新な下着は、いままで開発されてきていないのが現状である。
【０００５】
ただ、上記タトー調の絵柄をデザインしたような下着としては、実開平７−３１８０８号公報に開示されているものがある。この実開平７−３１８０８号公報に係るストッキングは、できるだけ細いデニールのストッキング地に、入れ墨にありそうな柄を含め植物、動物、天文、記号、文字、模様、鉱物、等あらゆる図柄を単色及び多色で編み込んだものである。
【０００６】
また、実開平６−７８９６８号公報に開示されているような入れ墨式転写シールも、既に提案されている。
【０００７】
このようなタトー調の絵柄を編み込んだストッキングや入れ墨式転写シールの場合には、ストッキングにタトー調の絵柄を表示したり、タトー調の絵柄を印刷したシールを、肌に貼り付けたり、タトー調の絵柄を肌に写し取ったりすることにより、肌にデザインすることは可能であったが、この場合には、非常に平坦であったり、絵柄が極く部分的なものであり、十分な視覚的効果を得ることができないという問題点を有していた。
【０００８】
また、上記ストッキングなどでは、単に、体の表面にタトー調の絵柄を表示できるのみであり、女性のバスト等の凹凸を有する部分をサポートしながら、皮膚の老化によるタルミ等を補正する製品機能としての補正性を発揮しつつ、タトー調の絵柄を表示することができないという問題点を有していた。
【０００９】
そこで、この発明は、上記従来技術の問題点を解決するためになされたものであり、その目的とするところは、タトー調の絵柄が部分的なものに限らず、且つ体のラインに沿った立体的なタトー調の絵柄を皮膚に一体化させた装飾性を創出することができるとともに、皮膚の老化によるタルミ等を補正する製品機能としての補正性を持ち、しかも女性のバスト等の凹凸を有する部分をサポートしつつタトー調の絵柄を表示することが可能なタトー調の衣料を提供することにある。
【課題を解決するための手段】
【００１０】
上記の課題を解決するため、請求項１に記載された発明は、着用者の肌にタトー調の視覚的効果を与えるタトー調衣料において、着用者のバスト等の立体的な凹凸を有する部分に着用する下着の少なくとも一部に、着用者の肌が透けて見えるか又はスキンカラーに着色された肌状部分を設け、当該肌状部分にタトー調の絵柄を形成したことを特徴とするタトー調衣料である。
【００１１】
また、請求項２に記載された発明は、タトー調の絵柄が、所望の色に染められた編み糸によって編成されて形成されていることを特徴とする請求項１に記載のタトー調衣料である。
【００１２】
さらに、請求項３に記載された発明は、タトー調の絵柄が、溶解性の基布に、非溶解性の糸によってタトー調の絵柄を刺繍した後、溶解性の基布を溶解除去することを特徴とする請求項２に記載のタトー調衣料である。
【００１３】
又、請求項４に記載された発明は、タトー調の絵柄が、水溶性繊維に非水溶性の樹脂によってタトー調の絵柄を形成し、当該非水溶性の樹脂を所望の色に捺染した後、水溶性繊維を溶解除去することによって形成されていることを特徴とする請求項１に記載のタトー調衣料である。
【００１４】
更に、請求項５に記載された発明は、前記非水溶性の樹脂が、シリコン樹脂からなることを特徴とする請求項４に記載のタトー調衣料である。
【００１５】
また、請求項６に記載された発明は、タトー調の絵柄が、透明性の基布又はスキンカラーの基布を、所望の色及び柄に染色することによって形成されていることを特徴とする請求項１に記載のタトー調衣料である。
【００１６】
さらに、請求項７に記載された発明は、タトー調の絵柄が、水溶性基布に透明性の素材又はスキンカラーの素材によってプリントを施し、所望の色及び柄に染色した後、水溶性基布を除去すことによって形成されていることを特徴とする請求項１に記載のタトー調衣料である。
【００１７】
この発明に係るタトー調衣料は、種々の態様によって実現可能であり、例えば、薄地にプリントする方式でも良く、基布に水溶性の編地や織地（これらの複合したものも含む）を基本とし、テクニックとして非水溶性糸による編柄や刺繍、更に非水溶性樹脂による捺染方式に主眼を置くものである。
【００１８】
更に、当該非水溶性糸や非水溶性樹脂に人体の伸張に対応できる伸縮特性をもたせ、且つタトー図柄のデザインにより人体皮膚の老化等による下垂をサポートする機能を持たせるのが望ましい。なお、伸縮特性を有する基布としては、極力ストレッチ性があることが望ましいことから、エステル系のストレッチヤーンを使用することが好ましい。
【００１９】
上記の如く、基布は、１００％水溶性糸の場合と、水溶性糸と非水溶性糸の複合編み、あるいは１００％非水溶性糸の場合とがある。
【００２０】
また、衛生的且つ熱成型に変化しずらいシリコン樹脂を使用することによるモールド成型化方式による立体形成化（カッティングを無くすることにより縫製や接着を無くす）が望ましい。
【発明の効果】
【００２１】
この発明によれば、タトー調の絵柄が部分的なものに限らず、且つ体のラインに沿った立体的なタトー調の絵柄を皮膚に一体化させた装飾性を創出することができるとともに、皮膚の老化によるタルミ等を補正する製品機能としての補正性を持ち、しかも女性のバスト等の凹凸を有する部分をサポートしつつタトー調の絵柄を表示することが可能なタトー調の衣料を提供することができる。
【発明を実施するための最良の形態】
【００２２】
以下に、この発明の実施の形態について図面を参照して説明する。
【００２３】
実施の形態１
図１はこの発明の実施の形態１に係るタトー調下着としてのブラジャーを示す構成図である。
【００２４】
図１において、１はタトー調下着としてのブラジャーを示すものであり、このブラジャー１は、着用者の左右のバストを覆うバストカップ部２、３と、左右のバストカップ部２、３を繋ぐ合わせ部４と、前記左右のバストカップ部２、３の両側に連設されたサイドパネル５、６とを備えている。上記両サイドパネルの先端５、６には、必要に応じて、フックやアイ等の連結具が装着される。
【００２５】
ところで、この実施の形態では、着用者の肌にタトー調の視覚的効果を与えるタトー調下着において、前記下着の少なくとも一部に、着用者の肌が透けて見えるか又はスキンカラーに着色された肌状部分を設け、当該肌状部分にタトー調の絵柄を形成するように構成されている。
【００２６】
また、この実施の形態では、タトー調の絵柄が、所望の色に染められた編み糸によって編成されて形成されている。なお、タトー調の絵柄を形成する樹脂で形成する場合、当該樹脂の着色は、材料段階での着色化が望ましい。
【００２７】
すなわち、この実施の形態に係るブラジャー１は、図１に示すように、紺色や藍色等の所望の色に染色された綿やナイロン等の繊維からなる細い線状の編み糸７によって、タトー調の絵柄８を形成するように編成されて構成されている。また、上記タトー調の絵柄８は、絹や後述する水溶性ビニロンなどの溶解性の基布に、非溶解性の糸によってタトー調の絵柄を刺繍した後、薬品や水などによって、溶解性の基布を溶解除去することによって形成するように構成しても良い。なお、非溶解性の糸は、特に限定するものではないが、人体の皮膚に同化するよう光沢感を押え、濡れ色感を持った糸を使用することが望ましい。
【００２８】
上記ブラジャー１の左右のバストカップ部２、３は、例えば、リング状の多数の模様９を、中心から外周に同芯円状に配置して形成されている。また、上記合わせ部４とサイドパネル５、６の上下両端縁１０、１１は、リング状の模様と同程度の幅を有するエッジ部によって縁取られているとともに、当該合わせ部４とサイドパネル５、６の内側部分１２、１３は、水平方向に沿った波状の模様が形成されている。
【００２９】
さらに、上記ブラジャー１は、図２に示すように、左右のバストカップ部２、３・合わせ部４・サイドパネル５、６の編み糸７以外の部分が、直接肌が透けてみえる肌状部分１４となっている。なお、上記左右のバストカップ部２、３の内面には、スキンカラーに着色された裏地を設けるように構成しても良い。
【００３０】
このように、上記実施の形態１に係るブラジャー１では、左右のバストカップ部２、３・合わせ部４・サイドパネル５、６が、紺色や藍色等の所望の色に染色された綿やナイロン等の繊維からなる紙細い線状の編み糸によって、タトー調の絵柄８を形成するように編成されて構成されているとともに、タトー調の絵柄８以外の部分は、肌が透けてみえる肌状部分１４となっている。
【００３１】
そのため、女性のバストのように立体的な凹凸を有する部分に着用するブラジャー１であっても、タトー調の絵柄８を全体的に着用することができ、且つ体のラインに沿った立体的なタトー調の絵柄を創出することが可能となっている。
【００３２】
また、上記ブラジャー１は、女性のバストの隆起に繊維や編み地が有する必要な伸長力を持って伸長し、且つバストの重量をサポートすることが可能となっている。
【００３３】
実施の形態２
図３はこの発明の実施の形態２を示すものであり、前記実施の形態１と同一の部分には同一の符号を付して説明すると、この実施の形態２では、タトー調の絵柄の形成方法が、前記実施の形態と異なっており、当該タトー調の絵柄が、水溶性繊維に非水溶性の樹脂によってタトー調の絵柄を形成し、当該非水溶性の樹脂を所望の色に捺染した後、水溶性繊維を溶解除去することによって形成されている。
【００３４】
すなわち、この実施の形態２に係るブラジャー１では、図３及び図４に示すように、図中の空間部分を示す水溶性繊維（ｗａｔｅｒ−ｓｏｌｕｂｌｅ  ｆｉｂｅｒ）２０に、シリコン樹脂等の非水溶性の樹脂２１によってタトー調の絵柄２２（図中の線状部分のすべて）を形成し、当該シリコン樹脂等の非水溶性の樹脂２１を、紺色や藍色等の所望の色に捺染した後、水溶性繊維２０を水に溶解させて除去することによって、タトー調の絵柄２２が形成されている。
【００３５】
ここで、水溶性繊維２０とは、文字通り、水に溶ける繊維であり、例えば、水溶性ビニロンなどからなる繊維が用いられる。この水溶性ビニロンなどからなる繊維は、ポリ酢酸ビニルからポリビニルアルコールへの鹸化を完全には行わず、酢酸基を適量残したポリマーを有機溶媒に溶解し、冷却メタノール中へ紡成して固化し、ゲル状の未延伸糸とした後、延伸することによって製造される。
【００３６】
そして、上記水溶性繊維を内層に配置した多層構造の複合短繊維を作り、複合編地としての布地にした後、非水溶性の樹脂２１によってタトー調の絵柄２２を形成し、熱湯で水溶性繊維を溶解することによって、タトー調の絵柄２２を形成することができる。
【００３７】
こうした場合には、図３に示すように、かなり空間部分が多いタトー調の絵柄２２であっても、シリコン樹脂等の非水溶性の樹脂２１によって形成することができ、よりデザインの幅や種類が広くなるという効果を有している。
【００３８】
その他の構成及び作用は、前記実施の形態１と同様であるので、その説明を省略する。
【００３９】
実施の形態３
図５はこの発明の実施の形態３を示すものであり、前記実施の形態１と同一の部分には同一の符号を付して説明すると、この実施の形態３では、タトー調の絵柄の形成方法が、前記実施の形態と異なっており、当該タトー調の絵柄が、透明性の基布又はスキンカラーの基布を、所望の色及び柄に染色することによって形成されている。
【００４０】
すなわち、この実施の形態３に係るブラジャー１では、図５に示すように、図柄そのものは図３に示す実施の形態と同様であるが、タトー調の絵柄３０が、透明性の基布３１に所望のタトー調の絵柄をプリントすることによって形成されており、図中の空間部分は、透明性の基布３１そのものを示している。
【００４１】
この場合には、図６に示すように、透明性の基布３１に所望のタトー調の絵柄３０を自由にプリントすることによって形成することができ、デザインの自由度を高めることができる。
【００４２】
なお、上記透明性の基布３１の代わりに、スキンカラーの基布を使用するように構成しても良い。
【００４３】
その他の構成及び作用は、前記実施の形態１と同様であるので、その説明を省略する。      
【００４４】
実施の形態４
図７はこの発明の実施の形態４を示すものであり、前記実施の形態１と同一の部分には同一の符号を付して説明すると、この実施の形態４では、タトー調の絵柄の形成方法が、前記実施の形態と異なっており、当該タトー調の絵柄が、水溶性基布に透明性の素材又はスキンカラーの素材によってプリントを施し、所望の色及び柄に染色した後、水溶性基布を除去すことによって形成されている。
【００４５】
すなわち、この実施の形態４に係るブラジャー１では、図７に示すように、タトー調の絵柄４０が、バストカップ部２の一部（肌状部分）４１にのみ描かれているが、このタトー調の絵柄４０は、水溶性基布に透明性の素材４２又はスキンカラーの素材によってプリントを施し、所望の色及び柄に染色した後、水溶性基布を除去すことによって形成されている。
【００４６】
その他の構成及び作用は、前記実施の形態１と同様であるので、その説明を省略する。
【００４７】
なお、タトー調の図柄のテクニックとして、刺繍と捺染プリント、編柄と捺染プリント等を適宜複合的に組み合わせても良いことは勿論である。
【００４８】
また、上記樹脂や糸に衛生的処理や、健康促進的（血行を高める等）な処理を施しても良い。
【００４９】
さらに、ホビー的な間隔で水溶性糸と非水溶性糸の複合編による製品本体の適宜な部位に、熱転写方式でプリントを施すように構成しても良い。
【００５０】
なお、この発明は、ブラジャーに限らず、ウエストニッパー、ガードル（特にハイウエストタイプ）、スリーインワン、オールインワン、その他のファンデーションガーメント全般を含み、更にボディフィットのランジェリーやアウター・水着等を含む衣料に広く適用できるものである。
【図面の簡単な説明】
【００５１】
【図１】図１はこの発明の実施の形態１に係るタトー調衣料としてのブラジャーを示す構成図である。
【図２】図２はこの発明の実施の形態１に係るタトー調衣料としてのブラジャーの編み地を示す構成図である。
【図３】図３はこの発明の実施の形態２に係るタトー調衣料としてのブラジャーを示す構成図である。
【図４】図４はこの発明の実施の形態２に係るタトー調衣料としてのブラジャーの要部を示す構成図である。
【図５】図５はこの発明の実施の形態３に係るタトー調衣料としてのブラジャーを示す構成図である。
【図６】図６はこの発明の実施の形態３に係るタトー調衣料としてのブラジャーの要部を示す構成図である。
【図７】図７はこの発明の実施の形態４に係るタトー調衣料としてのブラジャーを示す構成図である。
【符号の説明】
【００５２】
１：タトー調下着としてのブラジャー、２、３：左右のバストカップ部、４：合わせ部、５、６：サイドパネル、７：細い線状の編み糸、８：タトー調の絵柄、１４：肌状部分。
【図１】
2005089904.tif 000003
【図２】
2005089904.tif 000004
【図３】
2005089904.tif 000005
【図４】
2005089904.tif 000006
【図５】
2005089904.tif 000007
【図６】
2005089904.tif 000008
【図７】
2005089904.tif 000009